(57)【要約】【課題】ドアの利用状況を加味した換気を行う。【解決手段】ドアで仕切られた閉鎖空間と閉鎖空間外との間の通気量の目標値を取得する目標値取得部と、ドアの開放量を取得する開放量取得部と、通気量を変更する通気量変更部と、目標値取得部から取得した通気量の目標値と開放量取得部から取得したドアの開放量とから通気量が不足したと判断したときに通気量変更部に通気量を増大させる制御部とを備える。【選択図】図１
2020016392.tif 000002
【特許請求の範囲】
【請求項１】
ドアで仕切られた閉鎖空間と前記閉鎖空間外との間の通気量の目標値を取得する目標値取得部と、
前記ドアの開放量を取得する開放量取得部と、
前記通気量を変更する通気量変更部と、
前記目標値取得部から取得した前記通気量の目標値と前記開放量取得部から取得した前記ドアの開放量とから前記通気量が不足したと判断したときに前記通気量変更部に前記通気量を増大させる制御部とを備える、換気システム。
【請求項２】
前記制御部は、前記目標値取得部から取得した前記通気量の目標値と前記開放量取得部から取得した前記ドアの開放量とから前記通気量が過剰と判断したときに、前記通気量変更部に前記通気量を減少させるものである請求項１に記載の換気システム。
【請求項３】
前記開放量は、単位時間あたりに前記ドアが開閉する回数である、請求項１に記載の換気システム。
【請求項４】
前記開放量は、単位時間あたりの前記ドアの開放時間である、請求項１に記載の換気システム。
【請求項５】
前記開放量は、前記ドアの開口幅、前記ドアの高さ、前記閉鎖空間の内外の気圧差、前記閉鎖空間の内外の温度差、前記閉鎖空間外の風向き、および前記閉鎖空間外の風速の少なくとも１つに基づいて補正される、請求項１に記載の換気システム。
【請求項６】
前記開放量は、複数のドアの設置位置に応じた各ドアの開放量の重み付けに基づく量である、請求項１に記載の換気システム。
【請求項７】
前記開放量は、前記ドアの位置と当該位置に前記ドアが滞在する時間との積分値および前記ドアの高さに比例する量である、請求項１に記載の換気システム。
【請求項８】
前記通気量変更部は、
前記ドアの閉鎖時における戸先側の隙間幅、前記ドアの開放時における開口幅および前記ドアの開状態の保持時間の少なくとも１つを制御することで、前記通気量を増大させる、請求項１に記載の換気システム。
【請求項９】
前記通気量変更部は、
前記開放量を監視しているドアとは別のドアの閉鎖時における戸先側の隙間幅、開放時における開口幅、および開状態の保持時間の少なくとも１つを制御することで、前記通気量を増大させる、請求項１に記載の換気システム。
【請求項１０】
前記通気量変更部は、
前記開放量を監視しているドアの閉鎖時における戸先側の隙間幅、開放時における開口幅および開状態の保持時間の少なくとも１つの制御と、別のドアの閉鎖時における戸先側の隙間幅、開放時における開口幅および開状態の保持時間の少なくとも１つの制御と、の組合せによって前記通気量を増大させる、請求項１に記載の換気システム。
【請求項１１】
前記通気量変更部は、
換気ファンの回転数を増大することで前記通気量を増大させる、請求項１に記載の換気システム。
【請求項１２】
前記通気量変更部は、
窓の閉鎖時における隙間幅を制御することで前記通気量を増大させる、請求項１に記載の換気システム。
【請求項１３】
前記制御部は、
前記閉鎖空間の内外の気圧差、前記閉鎖空間の適正温度との温度差、前記ドアの高さ、前記ドアの開口幅、および前記閉鎖空間外の環境の少なくとも１つに基づいて、前記通気量変更部が増大または減少させる前記通気量を補正する、請求項１に記載の換気システム。
【請求項１４】
前記制御部は、
前記閉鎖空間の内外の気圧差、前記閉鎖空間の適正温度との温度差、前記ドアの高さ、前記ドアの開口幅、および前記閉鎖空間外の環境の少なくとも１つに基づいて、前記通気量の目標値を補正する、請求項１に記載の換気システム。
【請求項１５】
ドアで仕切られた閉鎖空間と前記閉鎖空間外との間の通気量の目標値を取得する目標値取得部と、
前記ドアの開放量を取得する開放量取得部と、
前記ドアを開閉制御する自動ドア制御部と、
前記目標値取得部から取得した前記通気量の目標値と前記開放量取得部から取得した前記ドアの開放量とから前記通気量が不足したと判断したときに前記自動ドア制御部による前記ドアの開閉制御のパラメータを変更することにより前記通気量を増大させる制御部とを備える、自動ドアシステム。
【請求項１６】
ドアで仕切られた閉鎖空間と前記閉鎖空間外との間の通気量の目標値を取得する工程と、
前記ドアの開放量を取得する工程と、
前記取得された通気量の目標値と前記取得されたドアの開放量とから前記通気量が不足したと判断したときに前記通気量を増大させる工程と、
を備える、換気方法。
【発明の詳細な説明】
【技術分野】
【０００１】
本発明は、換気システム、自動ドアシステムおよび換気方法に関する。
【背景技術】
【０００２】
従来から、二酸化炭素濃度又は温度を測定し、ドアの開閉時間を長くする技術が提案されている（例えば、特許文献１参照）。
【先行技術文献】
【特許文献】
【０００３】
【特許文献１】特開２０１３−１９４４６７号公報
【発明の概要】
【発明が解決しようとする課題】
【０００４】
しかしながら、従来は、ドアの利用状況を加味した換気を行うことについて、何ら有効な提案がなされていないのが実情であった。
【０００５】
本発明は、以上の点を考慮してなされたものであり、ドアの利用状況を加味した換気を行うことができる換気システム、自動ドアシステムおよび換気方法を提供することを目的とする。
【課題を解決するための手段】
【０００６】
本発明は、ドアで仕切られた閉鎖空間と前記閉鎖空間外との間の通気量の目標値を取得する目標値取得部と、前記ドアの開放量を取得する開放量取得部と、前記通気量を変更する通気量変更部と、前記目標値取得部から取得した前記通気量の目標値と前記開放量取得部から取得した前記ドアの開放量とから前記通気量が不足したと判断したときに前記通気量変更部に前記通気量を増大させる制御部とを備える、換気システムである。
【０００７】
本発明による換気システムにおいて、前記制御部は、前記目標値取得部から取得した前記通気量の目標値と前記開放量取得部から取得した前記ドアの開放量とから前記通気量が過剰と判断したときに、前記通気量変更部に前記通気量を減少させるものであってもよい。
【０００８】
本発明による換気システムにおいて、前記開放量は、単位時間あたりに前記ドアが開閉する回数であってもよい。
【０００９】
本発明による換気システムにおいて、前記開放量は、単位時間あたりの前記ドアの開放時間であってもよい。
【００１０】
本発明による換気システムにおいて、前記開放量は、前記ドアの開口幅、前記ドアの高さ、前記閉鎖空間の内外の気圧差、前記閉鎖空間の内外の温度差、前記閉鎖空間外の風向き、および前記閉鎖空間外の風速の少なくとも１つに基づいて補正されてもよい。
【００１１】
本発明による換気システムにおいて、前記開放量は、複数のドアの設置位置に応じた各ドアの開放量の重み付けに基づく量であってもよい。
【００１２】
本発明による換気システムにおいて、前記開放量は、前記ドアの位置と当該位置に前記ドアが滞在する時間との積分値および前記ドアの高さに比例する量であってもよい。
【００１３】
本発明による換気システムにおいて、前記通気量変更部は、前記ドアの閉鎖時における戸先側の隙間幅、前記ドアの開放時における開口幅および前記ドアの開状態の保持時間の少なくとも１つを制御することで、前記通気量を増大させてもよい。
【００１４】
本発明による換気システムにおいて、前記通気量変更部は、前記開放量を監視しているドアとは別のドアの閉鎖時における戸先側の隙間幅、開放時における開口幅、および開状態の保持時間の少なくとも１つを制御することで、前記通気量を増大させてもよい。
【００１５】
本発明による換気システムにおいて、前記通気量変更部は、前記開放量を監視しているドアの閉鎖時における戸先側の隙間幅、開放時における開口幅および開状態の保持時間の少なくとも１つの制御と、別のドアの閉鎖時における戸先側の隙間幅、開放時における開口幅および開状態の保持時間の少なくとも１つの制御と、の組合せによって前記通気量を増大させてもよい。
【００１６】
本発明による換気システムにおいて、前記通気量変更部は、換気ファンの回転数を増大することで前記通気量を増大させてもよい。
【００１７】
本発明による換気システムにおいて、前記通気量変更部は、窓の閉鎖時における隙間幅を制御することで前記通気量を増大させてもよい。
【００１８】
本発明による換気システムにおいて、前記制御部は、前記閉鎖空間の内外の気圧差、前記閉鎖空間の適正温度との温度差、前記ドアの高さ、前記ドアの開口幅、および前記閉鎖空間外の環境の少なくとも１つに基づいて、前記通気量変更部が増大または減少させる前記通気量を補正してもよい。
【００１９】
本発明による換気システムにおいて、前記制御部は、前記閉鎖空間の内外の気圧差、前記閉鎖空間の適正温度との温度差、前記ドアの高さ、前記ドアの開口幅、および前記閉鎖空間外の環境の少なくとも１つに基づいて、前記通気量の目標値を補正してもよい。
【００２０】
本発明は、ドアで仕切られた閉鎖空間と前記閉鎖空間外との間の通気量の目標値を取得する目標値取得部と、前記ドアの開放量を取得する開放量取得部と、前記ドアを開閉制御する自動ドア制御部と、前記目標値取得部から取得した前記通気量の目標値と前記開放量取得部から取得した前記ドアの開放量とから前記通気量が不足したと判断したときに前記自動ドア制御部による前記ドアの開閉制御のパラメータを変更することにより前記通気量を増大させる制御部とを備える、自動ドアシステムである。
【００２１】
本発明は、ドアで仕切られた閉鎖空間と前記閉鎖空間外との間の通気量の目標値を取得する工程と、前記ドアの開放量を取得する工程と、前記取得された通気量の目標値と前記取得されたドアの開放量とから前記通気量が不足したと判断したときに前記通気量を増大させる工程と、を備える、換気方法である。
【発明の効果】
【００２２】
本発明によれば、ドアの利用状況を加味した換気を行うことができる。
【図面の簡単な説明】
【００２３】
【図１】本実施形態による換気システムを示すブロック図である。
【図２Ａ】本実施形態による換気システムの第１の適用例を示す模式図である。
【図２Ｂ】本実施形態による換気システムの第２の適用例を示す模式図である。
【図３】本実施形態による換気システムの動作例を示すフローチャートである。
【図４】本実施形態の第１の変形例による換気システムの動作例を示すフローチャートである。
【図５】本実施形態の第２の変形例による換気システムの動作例を示すフローチャートである。
【図６】本実施形態の第３の変形例による換気システムを示すブロック図である。
【図７】本実施形態の第３の変形例による換気システムの動作例を示すフローチャートである。
【図８】本実施形態の第４の変形例による換気システムの動作例を示すフローチャートである。
【図９】本実施形態の第５の変形例による換気システムの動作例を示すフローチャートである。
【図１０】本実施形態の第６の変形例による換気システムを示すブロック図である。
【図１１】本実施形態の第６の変形例による換気システムの動作例を示すフローチャートである。
【図１２】本実施形態の第７の変形例による換気システムを示すブロック図である。
【図１３】本実施形態の第７の変形例による換気システムにおける自動ドア装置の鳥瞰図である。
【図１４】本実施形態の第７の変形例による換気システムの動作例を示すフローチャートである。
【図１５】本実施形態の第８の変形例による換気システムを示すブロック図である。
【図１６】本実施形態の第８の変形例による換気システムの動作例を示すフローチャートである。
【図１７】本実施形態の第９の変形例による換気システムを示すブロック図である。
【図１８】本実施形態の第９の変形例による換気システムの動作例を示すフローチャートである。
【図１９】本実施形態の第１０の変形例による換気システムの動作例を示すフローチャートである。
【図２０】本実施形態の第１１の変形例による換気システムを示すブロック図である。
【図２１】本実施形態の第１１の変形例による換気システムの動作例を示すフローチャートである。
【図２２】本実施形態の第１２の変形例による換気システムの第１の例を示すブロック図である。
【図２３】本実施形態の第１２の変形例による換気システムの第２の例を示すブロック図である。
【図２４】本実施形態の第１２の変形例による換気システムの第３の例を示すブロック図である。
【発明を実施するための形態】
【００２４】
以下、本発明の実施形態に係る換気システムについて、図面を参照しながら詳細に説明する。なお、以下に示す実施形態は、本発明の実施形態の一例であって、本発明はこれらの実施形態に限定して解釈されるものではない。また、本実施形態で参照する図面において、同一部分または同様な機能を有する部分には同一の符号または類似の符号を付し、その繰り返しの説明は省略する。また、図面の寸法比率は、説明の都合上、実際の比率とは異なる場合があり、また、構成の一部が図面から省略される場合がある。
【００２５】
図１は、本実施形態による換気システム１を示すブロック図である。図１に示すように、換気システム１は、通気部１１と、開放量取得部１２と、目標値取得部１７と、通気量変更部１８と、制御部の一例である通気量制御部１３とを備える。
【００２６】
通気部１１は、ドアで仕切られた閉鎖空間と閉鎖区間外との間を通気する。通気部１１は、例えば、図２Ａに示すようにドア１１ａであってもよく、または、図２Ｂに示すように換気ファン１１ｃであってもよい。
【００２７】
開放量取得部１２は、通気部１１の通気量（アウトプット）の制御に用いるインプットとして、ドア１１ａを開閉する自動ドアの制御器１１ｂ（自動ドア制御部）から通信によってドア１１ａの開放量（以下、ドア開放量とも呼ぶ）を取得する。なお、自動ドアの制御器１１ｂは、換気システム１の一部として構成されていてもよい。また、開放量取得部１２は、自動ドアの制御器１１ｂとの通信によらずドア１１ａに設けられた図示しない接点やエンコーダなどのセンサによって上記ドア１１ａの開き具合からドア開放量を取得しても良い。さらに開放量取得部１２は、自動ドアの制御器１１ｂ内のプログラムやハードウェアの一部として構成されていてもよい。
【００２８】
目標値取得部１７は、ドア１１ａで仕切られた閉鎖空間と閉鎖区間外との間の通気量の目標値（以下、通気量目標値とも呼ぶ）を、図示しない上位システムから通信によって取得する。この場合、上位システムは、例えば、自動ドアの制御器１１ｂから通信でドア開放量を取得し、取得されたドア開放量が大きいほど通気量目標値を小さい値に決定してもよい。なお、目標値取得部１７は、通信によらずロータリスイッチなどのスイッチ類から通気量目標値を取得しても良い。更に目標値取得部１７は、自動ドア制御器１１ｂ内のプログラムやハードウェアの一部として構成されていても良い。
【００２９】
通気量変更部１８は、ドア１１ａの開閉速度、開放時間、閉鎖位置などを制御することによってドア１１ａで仕切られた閉鎖空間と閉鎖区間外との間の通気量を増大または減少させるものである。図１の例において、通気量変更部１８は、通気量を増大させている。通気量変更部１８は、自動ドア制御器１１ｂ内のプログラムやハードウェアの一部として構成されていても良い。
【００３０】
通気量制御部１３は、目標値取得部１７で取得された通気量目標値に比べて、開放量取得部１２で取得されたドア開放量に基づいて算定される通気量が不足すると判断したときに、図１に示すように、通気部１１による通気の通気量（すなわち、アウトプット）を増大させるように通気量変更部１８を制御する。通気量制御部１３は、例えば、自動ドアの制御器ｂ内のプログラムやハードウェアの一部として構成されていてもよい。なお、通気量制御部１３は、通気量目標値に比べて、ドア開放量に基づいて算定される通気量が過剰と判断したときに、通気部１１による通気の通気量（すなわち、アウトプット）を減少させるように通気量変更部１８を制御してもよい。更に通気量制御部１３は、通気量目標値とドア開放量に基づいて算定される通気量とがほぼ一致していると判断したときに、通気部１１による通気の通気量（すなわち、アウトプット）を維持させるように通気量変更部１８を制御してもよい。
【００３１】
ここで、ドア１１ａは、自動および手動のいずれであってもよい。また、ドア１１ａは、引戸、開き戸、グライドドア、折り戸および回転ドアのいずれであってもよい。また、ドアは、図２Ａおよび図２Ｂに例示したように単数であってもよく、または、複数であってもよい。
【００３２】
ドア開放量は、単位時間あたりにドア１１ａが開閉する回数であってもよく、または、単位時間あたりのドア１１ａの開放時間であってもよい。また、ドア開放量は、開口幅、高さ、内外の気圧差、温度差、風向き、風速に基づいて補正されてもよい。また、複数のドア１１ａがある場合のドア開放量は、各ドア１１ａの開放量の総和、中央値、平均値、最大値／最小値であってもよい。また、複数のドア１１ａがある場合の開放量は、各ドア１１ａの設置位置に応じた重み付けで決められた開放量であってもよい。また、ドア開放量は、ドア１１ａの位置と、当該位置に滞在する時間との積分によって算出してもよい。また、ドア開放量の算出にあたっては、ドア１１ａの高さを考慮してもよい。
【００３３】
閉鎖空間および閉鎖空間外は、ドア１１ａが開いたときにドア１１ａの開口部を通じて互いに連通される空間である。閉鎖空間、閉鎖空間外は、例えば、会議室、待合室、事務所、店舗、テナントの内外であってもよい。また、閉鎖空間外は、屋内（すなわち、別の閉鎖空間）および屋外のいずれであってもよい。
【００３４】
通気量は、単位時間あたりに閉鎖空間と閉鎖空間外との間を通過する流体の量である。流体は、例えば、空気などの気体である。流体は、水などの液体を含んでいてもよく、また、粉塵、花粉および黄砂などの固体を含んでいてもよい。
【００３５】
通気量目標値とドア開放量とに基づく通気量の制御において、通気量制御部１３は、通気量目標値に比べてドア開放量に基づいて算出される通気量が多い時は、通気量変更部１８によって通気量を減少させ、通気量目標値に比べてドア開放量に基づいて算出される通気量が少ない時は、通気量変更部１８によって通気量を増大させてもよい。
【００３６】
また、通気量制御部１３は、ドア開放量に基づいて算出される通気量が通気量目標値として予め設定されている値以上のときは、通気量変更部１８によって変更する通気量をゼロにし、ドア開放量に基づいて算出される通気量が通気量目標値として予め設定されている値未満のときは、所定の予め設定されている通気量となるように通気量変更部１８を制御してもよい。この場合、上記例と異なり、通気量目標値は動的には変更されず、通気量目標値は固定的に予め設定されているため、目標値取得部１７は不要となる。
【００３７】
通気量制御部１３は、閉鎖空間の内外の気圧差、適正温度との温度差、ドアの高さ・開口幅、閉鎖空間外の環境（例えば、風向き、風速、粉塵、化学物質、花粉、ＰＭ２．５、黄砂等）などに基づいて通気量変更部１８が増大または減少させる通気量を補正してもよい。
【００３８】
通気量制御部１３は、通気量の増大の過程で、増大を多段階、無段階、指数的のいずれで行ってもよい。また、通気量制御部１３は、通気量の減少の過程で、減少を多段階、無段階、指数的のいずれで行ってもよい。なお、これらについては、通気量変更部１８で行うこともできる。
【００３９】
通気量の増大は、換気ファン１１ｃの回転数を通常時より増やす、又は換気ファン１１ｃのピッチを通常時よりも増やす（同じ回転数でより換気量を増大させる）ことであってもよい。また、通気量の増大は、開放量を監視しているドア１１ａまたは当該ドア１１ａとは別のドア１１ａについて、閉鎖時にドア１１ａの戸先側に隙間を設ける、全開時の開口幅を通常時よりも広くする、開状態の保持時間（以下、オープンタイマとも呼ぶ）を通常時よりも長くする、ドア１１ａの開速度を通常時よりも速くする、又はドア１１ａの閉速度を通常時よりも遅くするものであってもよい。また、通気量の増大は、窓の隙間幅の増大であってもよい。
【００４０】
通気量の減少は、換気ファン１１ｃの回転数を通常時より減らす、又は換気ファン１１ｃのピッチを通常時よりも減らす（同じ回転数でより換気量を減少させる）ことであってもよい。また、通気量の減少は、開放量を監視しているドア１１ａまたは当該ドア１１ａとは別のドア１１ａについて、閉鎖時にドア１１ａに設けられた隙間を狭める（隙間が設けられていた場合）、全開時の開口幅を通常時よりも狭くする、開状態の保持時間を通常時よりも短くする、ドア１１ａの開速度を通常時よりも遅くする、又はドア１１ａの閉速度を通常時よりも速くするものであってもよい。
【００４１】
（動作例）
次に、換気システム１の動作例について説明する。図３は、本実施形態による換気システム１の動作例を示すフローチャートである。図３のフローチャートは、必要に応じて繰り返される。
【００４２】
図３に示すように、先ず、目標値取得部１７は通気量目標値を取得する（ステップＳ１）。次に開放量取得部１２は、ドア開放量を取得する（ステップＳ２）。
【００４３】
ドア開放量が取得された後、通気量制御部１３は、取得されたドア開放量に基づき現在の通気量を算出する（ステップＳ３）。次に、通気量制御部１３は、取得された通気量目標値と算出された通気量とを比較し（ステップＳ４）、比較の結果、算出された通気量が通気量目標値に比べて不足すると判断したとき（ステップＳ４：通気量＜通気量目標値）、通気量変更部１８による通気量の増大を決定する（ステップＳ５）。一方、通気量制御部１３は、算出された通気量が通気量目標値に比べて過剰と判断したとき（ステップＳ４：通気量＞通気量目標値）、通気量変更部１８による通気量の減少を決定してもよい（ステップＳ６）。更に、通気量制御部１３は、算出された通気量が目標値とほぼ一致していると判断したとき（ステップＳ４：通気量＝通気量目標値）、通気量変更部１８による通気量を維持するようにしてもよい（ステップＳ７）（下記の変形例においても同様）。
【００４４】
通気量の増大、減少または維持のいずれかの態様を決定した後、通気量制御部１３は、決定された態様にしたがって通気量変更部１８に通気部１１の通気量を増大、減少または維持させる（ステップＳ８）。
【００４５】
本実施形態によれば、通気量目標値とドア開放量とに基づいて、通気量変更部１８に通気量を増大等させることができるので、ドアの利用状況も加味した換気を行うことができる。
【００４６】
（第１の変形例）
次に、ドア開放量が単位時間あたりにドアが開閉する回数である第１の変形例について説明する。
【００４７】
図４は、本実施形態の第１の変形例による換気システム１の動作例を示すフローチャートである。図４のフローチャートは、必要に応じて繰り返される。
【００４８】
図４に示すように、開放量取得部１２は、目標値取得部１７による通気量目標値の取得（ステップＳ１）の後、ドア開放量として、単位時間あたりのドアの開閉回数を取得する（ステップＳ２１）。
【００４９】
ドアの開閉回数が取得された後、通気量制御部１３は、取得されたドアの開閉回数に基づき現在の通気量を算出する（ステップＳ３）。その後は、図３のフローチャートと同様に、ステップＳ４〜ステップＳ８の処理を実行する。
【００５０】
第１の変形例によれば、図１の構成の作用効果に加えて、更に、ドア開放量として単位時間あたりのドアの開閉回数を監視することで、ドア開放量の監視を容易に行うことができる。
【００５１】
（第２の変形例）
次に、ドア開放量が単位時間あたりのドアの開放時間である第２の変形例について説明する。
【００５２】
図５は、本実施形態の第２の変形例による換気システム１の動作例を示すフローチャートである。図５のフローチャートは、必要に応じて繰り返される。
【００５３】
図５に示すように、開放量取得部１２は、目標値取得部１７による通気量目標値の取得（ステップＳ１）の後、ドア開放量として、単位時間あたりのドアの開放時間を取得する（ステップＳ２２）。
【００５４】
ドアの開放時間が取得された後、通気量制御部１３は、取得されたドアの開放時間に基づき現在の通気量を算出する（ステップＳ３）。その後は、図３のフローチャートと同様に、ステップＳ４〜ステップＳ８の処理を実行する。
【００５５】
第２の変形例によれば、図１の構成の作用効果に加えて、更に、ドア開放量として単位時間あたりのドアの開閉時間を監視することで、ドア開放量の確度を向上させることができる。
【００５６】
（第３の変形例）
次に、ドア開放量を補正する第３の変形例について説明する。図６は、本実施形態の第３の変形例による換気システム１を示すブロック図である。
【００５７】
図６に示すように、第３の変形例による換気システム１は、図１の構成に加えて、更に、開放量補正情報取得部１４を備える。
【００５８】
開放量補正情報取得部１４は、開放量取得部１２で取得されたドア開放量を補正するための開放量補正情報を取得する。
【００５９】
開放量補正情報は、例えば、ドアの開口幅、ドアの高さ、閉鎖空間の内外の気圧差、閉鎖空間の内外の温度差、閉鎖空間外の風向き、および閉鎖空間外の風速の少なくとも１つである。
【００６０】
開放量補正情報取得部１４は、例えば、自動ドアの制御器の記憶部、圧力センサ、温度センサおよび風向風速センサの少なくとも１つで構成される。開放量補正情報取得部１４の少なくとも一部をソフトウェアで構成してもよい。
【００６１】
開放量取得部１２で取得されたドア開放量は、開放量取得部１２で取得された開放量補正情報に基づいて補正される。すなわち、ドア開放量は、ドアの開口幅、ドアの高さ、閉鎖空間の内外の気圧差、閉鎖空間の内外の温度差、閉鎖空間外の風向き、および閉鎖空間外の風速の少なくとも１つに基づいて補正される。
【００６２】
例えば、閉鎖空間内よりも閉鎖空間外の方が高温であるような温度差が生じているために換気を抑えたい場合には、通気量制御部１３にドア開放量が多いと判断させて通気量を減少させるために、ドア開放量を上昇補正してもよい。一方、閉鎖空間内よりも閉鎖空間外の方が低温であるような温度差が生じているために換気を促進したい場合には、通気量制御部１３にドア開放量が少ないと判断させて通気量を増大させるために開放量を下降補正してもよい。
【００６３】
なお、図６の例においては、通気量制御部１３が、開放量補正情報取得部１４から入力された開放量補正情報を用いて開放量取得部１２から入力されたドア開放量を補正している。ドア開放量の補正は、開放量取得部１２が開放量補正情報取得部１４から開放量補正情報を取得することで、開放量取得部１２が行ってもよい。
【００６４】
通気量制御部１３は、目標値取得部１７で取得された通気量目標値に比べて、開放量補正情報に基づいて補正されたドア開放量に基づいて算定される通気量が不足すると判断したときに、図１に示すように、通気部１１による通気の通気量を増大させるように通気量変更部１８を制御する。なお、通気量制御部１３は、通気量目標値に比べて、補正されたドア開放量に基づいて算定される通気量が過剰と判断したときに、通気部１１による通気の通気量を減少させるように通気量変更部１８を制御してもよい。更に通気量制御部１３は、通気量目標値と補正されたドア開放量に基づいて算定される通気量とがほぼ一致していると判断したときに、通気部１１による通気の通気量を維持させるように通気量変更部１８を制御してもよい。
【００６５】
次に、第３の変形例による換気システム１の動作例について説明する。図７は、本実施形態の第３の変形例による換気システム１の動作例を示すフローチャートである。図７のフローチャートは、必要に応じて繰り返される。
【００６６】
図７に示すように、開放量取得部１２は、目標値取得部１７による通気量目標値の取得（ステップＳ１）の後、ドア開放量を取得する（ステップＳ２）。
【００６７】
また、開放量取得部１２は、ドア開放量を取得するための開放量補正情報を取得する（ステップＳ９）。なお、開放量補正情報の取得は、ドア開放量の取得との間で前後が入れ替わってもよく、または、ドア開放量の取得と同時であってもよい。
【００６８】
開放量補正情報が取得された後、通気量制御部１３は、取得された開放量補正情報に基づいて、開放量取得部１２で取得されたドア開放量を補正する（ステップＳ１０）。
【００６９】
ドア開放量が補正された後、通気量制御部１３は、補正されたドア開放量に基づき現在の通気量を算出する（ステップＳ３）。その後は、図３のフローチャートと同様に、ステップＳ４〜ステップＳ８の処理を実行する。
【００７０】
第３の変形例によれば、図１の構成の作用効果に加えて、更に、ドア開放量を補正することで、ドア開放量を基準とした通気量の増大等を更に適切に行うことができる。
【００７１】
（第４の変形例）
次に、複数のドアの開放量の重み付けに基づいてドア開放量を取得する第４の変形例について説明する。図８は、本実施形態の第４の変形例による換気システム１の動作例を示すフローチャートである。図８のフローチャートは、必要に応じて繰り返される。
【００７２】
第４の変形例による換気システム１において、開放量取得部１２は、図８のフローチャートにしたがってドア開放量を取得する。
【００７３】
具体的には、図８に示すように、先ず、開放量取得部１２は、複数のドアのドア開放量を取得する（ステップＳ２０１）。
【００７４】
複数のドアのドア開放量を取得した後、開放量取得部１２は、各ドアの設置位置情報を取得する（ステップＳ２０２）。設置位置情報は、例えば、屋内と屋外との間、屋内間、および建物の東西南北などのドアの設置位置に関する情報である。
【００７５】
各ドアの設置位置情報を取得した後、開放量取得部１２は、取得された設置位置情報に基づいて各ドアのドア開放量の重み付けを行う（ステップＳ２０３）。
【００７６】
重み付けにおいては、例えば、屋内外を仕切るドアの開放量の重み係数を、屋内間を仕切るドアの開放量の重み係数よりも大きくしてもよい。または、風向風速センサとの連動により、屋内に向かう風速が強いドアの開放量の重み係数を、風速が弱いドアの開放量の重み係数よりも大きくしてもよい。このような重み付けを行うことで、閉鎖空間の換気状態への影響が大きいドアのドア開放量を、通気量の決定に大きく反映させることができる。
【００７７】
各ドアのドア開放量の重み付けを行った後、開放量取得部１２は、重み付けされた各ドアのドア開放量の総和を最終的なドア開放量と決定する（ステップＳ２０４）。決定された最終的なドア開放量に基づいて、通気量が決定される。
【００７８】
第４の変形例によれば、図１の構成の作用効果に加えて、更に、閉鎖空間外との関係を考慮したドア開放量を取得することができる。
【００７９】
（第５の変形例）
次に、滞在時間およびドアの高さを考慮したドア開放量を取得する第５の変形例について説明する。図９は、本実施形態の第５の変形例による換気システム１の動作例を示すフローチャートである。図９のフローチャートは、必要に応じて繰り返される。第５の変形例による換気システム１の基本構成は図６と同様であり、図９のフローチャートは、図６の構成で実施される。
【００８０】
図９に示すように、開放量取得部１２は、目標値取得部１７による通気量目標値の取得（ステップＳ１）の後、ドアの位置と、ドアの位置へのドアの滞在時間とを積分することで、ドア開放量を取得する（ステップＳ２３）。
【００８１】
また、開放量補正情報取得部１４は、開放量補正情報として、ドアの高さ情報を取得する（ステップＳ９１）。
【００８２】
ドアの高さ情報が取得された後、通気量制御部１３は、開放量取得部１２で取得されたドア開放量に、開放量補正情報取得部１４で取得されたドアの高さ情報に比例する係数を乗じることで、ドア開放量を補正する（ステップＳ１０１）。
【００８３】
ドア開放量を補正した後、通気量制御部１３は、補正されたドア開放量に基づき現在の通気量を算出する（ステップＳ３）。その後は、図３のフローチャートと同様に、ステップＳ４〜ステップＳ８の処理を実行する。
【００８４】
第５の変形例によれば、図１の構成の作用効果に加えて、更に、滞在時間を考慮して算出されたドア開放量を高さ情報に基づいて補正することで、ドア開放量の確度を向上させることができる。
【００８５】
（第６の変形例）
次に、通気量を補正する第６の変形例について説明する。図１０は、本実施形態の第６の変形例による換気システム１を示すブロック図である。
【００８６】
図１０に示すように、第６の変形例による換気システム１は、図１の構成に加えて、更に、通気量補正情報取得部１５を備える。通気量補正情報取得部１５は、通気量を補正するための通気量補正情報を取得する。
【００８７】
通気量補正情報は、例えば、閉鎖空間の内外の気圧差、閉鎖空間の適正温度との温度差、ドアの高さ、ドアの開口幅、閉鎖空間外の環境、通気量と通気量目標値との差分等であってもよい。
【００８８】
通気量補正情報取得部１５は、例えば、自動ドアの制御器の記憶部、圧力センサ、温度センサ、風向風速センサ等であってもよい。通気量補正情報取得部１５の少なくとも一部をソフトウェアで構成してもよい。
【００８９】
通気量制御部１３は、通気量補正情報取得部１５で取得された通気量補正情報に基づいて通気量を増大させるときの通気量（すなわち、通気量の増大量）を補正する。そして、通気量制御部１３は、補正された通気量で通気部１１による通気量を増大させる。
【００９０】
例えば、閉鎖空間内の適正温度よりも閉鎖空間外の温度が高温であるような温度差が生じているために換気を抑えたい場合には、通気量制御部１３は、通気量を下降補正することで通気量の増大量を予め決められた基準増大量に対して減少させてもよい。一方、閉鎖空間内の適正温度よりも閉鎖空間外の方が低温であるような温度差が生じているために換気を促進したい場合には、通気量制御部１３は、通気量を上昇補正することで通気量の増大量を基準増大量に対して増加させてもよい。
【００９１】
なお、通気量制御部１３は、通気量補正情報取得部１５で取得された通気量補正情報に基づいて通気量を減少させるときの通気量を補正してもよい。すなわち、通気量制御部１３は、通気量補正情報に基づいて、通気量の減少量を予め決められた基準減少量に対して増減させてもよい。そして、通気量制御部１３は、補正された通気量で通気部１１による通気量を減少させてもよい。
【００９２】
次に、第６の変形例による換気システム１の動作例について説明する。図１１は、本実施形態の第６の変形例による換気システム１の動作例を示すフローチャートである。図１１のフローチャートは、必要に応じて繰り返される。
【００９３】
図１１に示すように、通気量の増大または減少が決定された場合（ステップＳ５、ステップＳ６）、通気量補正情報取得部１５は、通気量補正情報を取得する（ステップＳ１１）。一方、通気量の維持が決定された場合（ステップＳ７）、通気量制御部１３は、決定にしたがって通気量変更部１８に通気部１１の通気量を維持させる（ステップＳ８）。
【００９４】
通気量の増大が決定された場合（ステップＳ５）、通気量制御部１３は、通気量補正情報に基づいて通気量の増大量を補正し（ステップＳ１２）、補正された増大量で通気量を増大させる（ステップＳ８）。
【００９５】
通気量の減少が決定された場合（ステップＳ６）、通気量制御部１３は、通気量補正情報に基づいて通気量の減少量を補正し（ステップＳ１３）、補正された減少量で通気量を減少させる（ステップＳ８）。
【００９６】
第６の変形例によれば、図１の構成の作用効果に加えて、更に、閉鎖空間内外の環境を考慮した通気量の増大等を更に適切に行うことができる。
【００９７】
（第７の変形例）
次に、換気ファンの回転数を制御する第７の変形例について説明する。図１２は、本実施形態の第７の変形例による換気システム１を示すブロック図である。
【００９８】
図１２に示すように、第７の変形例による換気システム１は、自動ドアシステム２の一部を構成する自動ドア装置１３０と、通気部の一例である換気ファン１１１とを備える。
【００９９】
自動ドアシステム２は、既述した自動ドア装置１３０と自動ドアセンサ３とを備える。自動ドアシステム２は、図１３に示すドア１３３を通行しようとする通行者を自動ドアセンサ３で検知し、自動ドアセンサ３の検知に応じて、通行者を通行させるためにドア１３３を開動作させるシステムである。以下、自動ドアシステム２の構成部について詳しく述べる。
【０１００】
（自動ドア装置１３０）
図１２に示すように、自動ドア装置１３０は、ドア１３３と、モータ１３２と、開放量取得部、目標値取得部、通気量制御部および通気量変更部が一例としてプログラム及びハードウェアの一部として設けられている制御器１３１とを備える。モータ１３２は、ドア１３３を自動で開閉するための回転力を発生させる。モータ１３２の回転力は、プーリやタイミングベルトなどの動力伝達部材を介して図１３に示す開閉方向ｄ１への並進力としてドア１３３に伝達される。
【０１０１】
制御器１３１は、自動ドアセンサ３およびモータ１３２から取得された信号または情報に基づいて、モータ１３２への駆動制御信号の出力によるモータ１３２の駆動制御を行う。
【０１０２】
制御器１３１には、自動ドアセンサ３から、後述する有効検知エリア内の通行者の検知に応じた開信号が入力される。制御器１３１は、開信号の入力に応じてドア１３３を開方向に駆動するためのモータ１３２の駆動の制御（すなわち、開駆動制御）を行う。
【０１０３】
このような自動ドアシステム２の制御に加えて、更に、制御器１３１は、換気システム１の開放量取得部としても動作し、例えば、モータ１３２からの位置信号に基づいてドア開放量を取得する。
【０１０４】
更に、制御器１３１は、換気システム１の目標値取得部としても動作し、上位システムとの通信によって通気量目標値を取得する。
【０１０５】
更に、制御器１３１は、  通気量変更部としても動作し、通気量を増大、減少または維持させる。
【０１０６】
更に、制御器１３１は、通気量制御部としても動作し、通気量目標値に比べてドア開放量に基づいて算定される通気量が不足すると判断したときに、換気ファン１１１による通気量を増大させる。具体的には、制御器１３１は、換気ファン１１１の回転数を増大制御する回転数制御信号を換気ファン１１１に出力して換気ファン１１１の回転数を通常時よりも増やすことで、換気ファン１１１による通気量を増大させる。
【０１０７】
一方、制御器１３１は、通気量目標値に比べてドア開放量に基づいて算定される通気量が過剰と判断したときに、換気ファン１１１の回転数を減少制御する回転数制御信号を換気ファン１１１に出力して換気ファン１１１の回転数を通常時よりも減らすことで、換気ファン１１１による通気量を減少させる。また、制御器１３１は、通気量目標値に比べてドア開放量に基づいて算定される通気量がほぼ一致していると判断したときに、換気ファン１１１の回転数を維持制御する回転数制御信号を換気ファン１１１に出力して換気ファン１１１の回転数を通常時の回転数にすることで、換気ファン１１１による通気量を維持させる。
【０１０８】
（自動ドアセンサ３）
図１２に示すように、自動ドアセンサ３は、検知部３１と、センサ制御部３２とを備える。検知部３１は、投光部３１１と受光部３１２とを有する。センサ制御部３２は、検知部３１および制御器１３１に接続されている。センサ制御部３２は、例えば、ＣＰＵ（すなわち、プロセッサ）などのハードウェアで構成される。センサ制御部３２の少なくとも一部をソフトウェアで構成してもよい。
【０１０９】
センサ制御部３２は、有効検知エリアを有する。有効検知エリアとは、図１３に示すように、自動ドアセンサ３が検知可能な床面６上の領域である検知エリア５のうち、ドア１３３の通行者の検知のために設定された少なくとも一部の範囲の領域である。
【０１１０】
投光部３１１は、図示しない複数の投光素子のそれぞれから検知エリア５にパルス状の近赤外光を投光する。受光部３１２は、投光部３１１の複数の投光素子のそれぞれから検知エリア５に投光された近赤外光を図示しない複数の受光素子のそれぞれによって受光し、受光素子毎に近赤外光の受光量を検知する。受光部３１２は、検知された受光量を、受光量に応じた信号値を有する検知信号としてセンサ制御部３２に出力する。
【０１１１】
図１３の例において、検知エリア５は、２枚のドア１３３の正面においてドア１３３の開閉方向ｄ１およびこれに直交する前後方向ｄ２に間隔を空けて配置された複数の小検知エリア５１で構成されている。
【０１１２】
個々の小検知エリア５１は、投光部３１１の複数の投光素子のそれぞれから投光され、受光部３１２の複数の受光素子によってそれぞれ受光される近赤外光の照射スポットに対応している。
【０１１３】
有効検知エリアは、複数の小検知エリア５１のうち少なくとも１つの小検知エリア５１で構成される。
【０１１４】
センサ制御部３２は、例えば、投光部３１１の全ての投光素子に、それぞれに対応する小検知エリア５１に向けて近赤外光を投光させる。そして、センサ制御部３２は、受光部３１２の全ての受光素子に、各小検知エリア５１からの近赤外光の反射光をそれぞれ受光させる。そして、センサ制御部３２は、受光部３１２から入力された小検知エリア５１毎の検知信号のうち、有効検知エリアの検知信号を抽出する。そして、センサ制御部３２は、抽出された有効検知エリアの検知信号に基づいて、通行者を検知する。
【０１１５】
次に、第７の変形例による換気システム１の動作例について説明する。図１４は、本実施形態の第７の変形例による換気システム１の動作例を示すフローチャートである。図１４のフローチャートは、必要に応じて繰り返される。
【０１１６】
図１４に示すように、制御器１３１は、図３のステップＳ１〜ステップＳ４と同一の処理を行って、通気量の増大、減少または維持を決定する（ステップＳ５、ステップＳ６、ステップＳ７）。通気量の増大、減少または維持が決定された後、制御器１３１は、決定にしたがって換気ファン１１１の回転数を増大、減少または維持させる（ステップＳ８１）。
【０１１７】
第７の変形例によれば、図１の構成の作用効果に加えて、更に、換気ファン１１１の回転数によって通気量を簡便かつ適切に増大等させることができる。
【０１１８】
（第８の変形例）
次に、通気部としてのドアを制御する第８の変形例について説明する。図１５は、本実施形態の第８の変形例による換気システム１を示すブロック図である。
【０１１９】
図１２では、通気部の通気量として換気ファン１１１の回転数を制御する換気システム１の例について説明した。これに対して、第８の変形例は、図１２に対して換気ファン１１１が削除されており、換気ファン１１１のかわりに通気部としてドア１３３を制御するように構成されている。
【０１２０】
制御器１３１は、ドア１３３の隙間幅、ドア１３３の開口幅およびオープンタイマの少なくとも１つを増加させることで、通気量を増大させる。また、制御器１３１は、ドア１３３の隙間幅、ドア１３３の開口幅およびオープンタイマの少なくとも１つを減少させることで、通気量を減少させる。
【０１２１】
隙間幅は、引き戸等のＸ方向（すなわち、ドア面に沿った方向）の隙間幅だけでなく、プラグドアのＺ方向（すなわち、ドア面に垂直な方向）の間隙幅であってもよい。開口幅は、全開や半開であってもよい。
【０１２２】
次に、第８の変形例による換気システム１の動作例について説明する。図１６は、本実施形態の第８の変形例による換気システム１の動作例を示すフローチャートである。図１６のフローチャートは、必要に応じて繰り返される。
【０１２３】
図１６に示すように、制御器１３１は、図３のステップＳ１〜ステップＳ４と同一の処理を行って、通気量の増大、減少または維持を決定する（ステップＳ５、ステップＳ６、ステップＳ７）。通気量の増大、減少または維持が決定された後、制御器１３１は、決定にしたがってドア１３３の隙間幅、ドア１３３の開口幅またはドア１３３のオープンタイマを増大、減少または維持させる（ステップＳ８２）。
【０１２４】
第８の変形例によれば、図１の構成の作用効果に加えて、更に、ドア１３３の隙間幅、開口幅、オープンタイマを増大等させることで、通気量を簡便かつ適切に増大等させることができる。
【０１２５】
（第９の変形例）
次に、通気部として開放量を監視しているドアと別のドアを制御する第９の変形例について説明する。図１７は、本実施形態の第９の変形例による換気システム１を示すブロック図である。
【０１２６】
図１７に示すように、第９の変形例による換気システム１は、ドア開放量を監視している監視側自動ドア装置１３０Ａと、監視側自動ドア装置１３０Ａと別の自動ドア装置１３０Ｂとを備える。別の自動ドア装置１３０Ｂは、例えば、ドア開放量を監視していない自動ドア装置である。各自動ドア装置１３０Ａ、１３０Ｂの構成部は図１２の自動ドア装置１３０と同様であるが、両者１３０Ａ、１３０Ｂを区別するため、監視側自動ドア装置１３０Ａの構成部には、符号の末尾に“Ａ”を付し、別の自動ドア装置１３０Ｂの構成部には、符号の末尾に“Ｂ”を付している。また、図１７では、各自動ドア装置１３０Ａ、１３０Ｂのそれぞれに対応する自動ドアセンサ３の図示を省略している。
【０１２７】
以下、監視側自動ドア装置１３０Ａのドア１３３Ａのことを監視側のドア１３３Ａとも呼び、別の自動ドア装置１３０Ｂのドア１３３Ｂのことを別のドア１３３Ｂとも呼ぶ。
【０１２８】
監視側自動ドア装置１３０Ａの制御器１３１Ａは、別のドア１３３Ｂの隙間幅、開口幅およびオープンタイマの少なくとも１つを通常時よりも増大させることで、別のドア１３３Ｂによる通気量を増大させる。
【０１２９】
より具体的には、図１７の例において、監視側自動ドア装置１３０Ａの制御器１３１Ａは、別の自動ドア装置１３０Ｂの制御器１３１Ｂに対して、監視側のドア１３３Ａのドア開放量に応じて別のドア１３３Ｂの駆動を制御するための駆動制御信号を出力する。別の自動ドア装置１３０Ｂの制御器１３１Ｂは、監視側自動ドア装置１３０Ａの制御器１３１Ａからの駆動制御信号に応じて、別のドア１３３Ｂの隙間幅、開口幅およびオープンタイマの少なくとも１つを通常時よりも増大させる。
【０１３０】
また、監視側自動ドア装置１３０Ａの制御器１３１Ａは、別のドア１３３Ｂの隙間幅、開口幅およびオープンタイマの少なくとも１つを通常時よりも減少させることで、別のドア１３３Ｂによる通気量を減少させる。
【０１３１】
次に、第９の変形例による換気システム１の動作例について説明する。図１８は、本実施形態の第９の変形例による換気システム１の動作例を示すフローチャートである。図１８のフローチャートは、必要に応じて繰り返される。
【０１３２】
図１８に示すように、制御器１３１は、図３のステップＳ１〜ステップＳ４と同一の処理を行って、通気量の増大、減少または維持を決定する（ステップＳ５、ステップＳ６、ステップＳ７）。通気量の増大、減少または維持が決定された後、制御器１３１は、決定にしたがって別のドア１３３Ｂの隙間幅、開口幅またはオープンタイマを増大、減少または維持させる（ステップＳ８３）。
【０１３３】
第９の変形例によれば、図１の構成の作用効果に加えて、更に、別のドア１３３Ｂの隙間幅、開口幅、オープンタイマを増大等させることで、例えば、監視側のドア１３３Ａによって換気を行うよりも別のドア１３３Ｂによって換気を行う方が、各ドア１３３Ａ、１３３Ｂに接する閉鎖空間外の環境との関係から閉鎖空間を好ましい状態に換気できる場合に、別のドア１３３Ｂを開くことによって換気を適切に行うことができる。例えば、各ドア１３３Ａ、１３３Ｂに接する屋外又は隣の部屋の温度との関係から、別のドア１３３Ｂで換気する方が屋内の温度を適正温度に近づけることができる場合や、各ドア１３３Ａ、１３３Ｂに接する屋外の風向きとの関係から、別のドア１３３Ｂで換気する方が、屋内への粉塵の吹きこみを抑制できる場合に、別のドア１３３Ｂを開くことによって換気を適切に行うことができる。
【０１３４】
（第１０の変形例）
次に、通気部として、監視側のドアと別のドアとの双方を制御する第１０の変形例について説明する。
【０１３５】
図１９は、本実施形態の第１０の変形例による換気システム１の動作例を示すフローチャートである。図１９のフローチャートは、必要に応じて繰り返される。
【０１３６】
図１９に示すように、制御器１３１は、図３のステップＳ１〜ステップＳ４と同一の処理を行って、通気量の増大、減少または維持を決定する（ステップＳ５、ステップＳ６、ステップＳ７）。通気量の増大、減少または維持が決定された後、制御器１３１は、決定にしたがって監視側のドア１３３Ａおよび別のドア１３３Ｂの隙間幅、開口幅またはオープンタイマを増大、減少または維持させる（ステップＳ８４）。
【０１３７】
第１０の変形例によれば、第９の変形例の作用効果に加えて、更に、監視側のドア１３３Ａの隙間幅、開口幅、オープンタイマも制御することで、通気量をさらに適切に増大等させることができる。
【０１３８】
（第１１の変形例）
次に、通気部として窓を制御する第１１の変形例について説明する。図２０は、本実施形態の第１１の変形例による換気システム１を示すブロック図である。
【０１３９】
図２０に示すように、第１１の変形例による換気システム１は、図１２で説明した自動ドア装置１３０と、自動窓装置７とを備える。なお、図２０において、自動ドア装置１３０に対応する自動ドアセンサ３については、図示を省略している。
【０１４０】
自動窓装置７は、窓７１と自動開閉装置７２とを備える。自動開閉装置７２は、自動ドア装置１３０からの指令に応じて窓７１の開閉を自動で制御する。
【０１４１】
制御器１３１は、窓７１の隙間幅を通常時よりも増大させることで、窓７１による通気量を増大させる。
【０１４２】
より具体的には、図２０の例において、制御器１３１は、自動開閉装置７２に対して、窓７１の駆動を制御するための駆動制御信号を出力することで、窓７１の隙間幅を増加させる。
【０１４３】
また、制御器１３１は、窓７１の隙間幅を通常時よりも減少させることで、窓７１による通気量を減少させる。
【０１４４】
次に、第１１の変形例による換気システム１の動作例について説明する。図２１は、本実施形態の第１１の変形例による換気システム１の動作例を示すフローチャートである。図２１のフローチャートは、必要に応じて繰り返される。
【０１４５】
図２１に示すように、制御器１３１は、図３のステップＳ１〜ステップＳ４と同一の処理を行って、通気量の増大、減少または維持を決定する（ステップＳ５、ステップＳ６、ステップＳ７）。通気量の増大、減少または維持が決定された後、制御器１３１は、決定にしたがって窓７１の隙間幅を増大、減少または維持させる（ステップＳ８５）。
【０１４６】
第１１の変形例によれば、図１の構成の作用効果に加えて、更に、窓７１の隙間幅を制御することで通気量を簡便かつ適切に増大等させることができる。
【０１４７】
（第１２の変形例）
次に、第１２の変形例として、補正情報を取得するための温度センサの配置例について説明する。
【０１４８】
図６の例では、ドア開放量を補正する開放量補正情報の一例として、閉鎖空間の内外の温度差を挙げ、この温度差を取得する開放量補正情報取得部１４として、温度センサを挙げた。
【０１４９】
図２２に示すように、閉鎖空間の内外としての室内外の温度差を取得するための室内温度センサ３３および室外温度センサ８のうち、室内温度センサ３３を、室内の自動ドアセンサ３に内蔵してもよい。または、図２３に示すように、室外温度センサ８を、室外自動ドアセンサ３０に内蔵してもよい。あるいは、室内温度センサ３３を室内の自動ドアセンサ３に内蔵し、かつ、室外温度センサ８を、室外自動ドアセンサ３０に内蔵してもよい。
【０１５０】
また、図１０の例では、通気量を補正する通気量補正情報の一例として、閉鎖空間の適正温度との温度差を挙げ、この温度差を取得する通気量補正情報取得部１５として、温度センサを挙げた。
【０１５１】
図２４に示すように、制御器１３１は、空調機９に設定された設定温度を適正温度として取得し、空調機９のセンサで検出された室内温度情報を取得し、取得された両温度の差分を算出することで、閉鎖空間の適正温度との温度差を取得してもよい。
【０１５２】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【０１５３】
また、上述した変形例を含む実施の形態で説明した構成の一部を組み合わせたり、置き換えたりすることも可能である。更に、上述した変形例を含む実施の形態で説明した構成の一部のみを適用することも可能である。これらの場合、本明細書に明示されたものの他、それぞれの構成から導かれる特有の構成を有する。
【符号の説明】
【０１５４】
１  換気システム、１２  開放量取得部、１３  通気量制御部、１７  目標値取得部、１８  通気量変更部
【図１】
2020016392.tif 000003
【図２Ａ】
2020016392.tif 000004
【図２Ｂ】
2020016392.tif 000005
【図３】
2020016392.tif 000006
【図４】
2020016392.tif 000007
【図５】
2020016392.tif 000008
【図６】
2020016392.tif 000009
【図７】
2020016392.tif 000010
【図８】
2020016392.tif 000011
【図９】
2020016392.tif 000012
【図１０】
2020016392.tif 000013
【図１１】
2020016392.tif 000014
【図１２】
2020016392.tif 000015
【図１３】
2020016392.tif 000016
【図１４】
2020016392.tif 000017
【図１５】
2020016392.tif 000018
【図１６】
2020016392.tif 000019
【図１７】
2020016392.tif 000020
【図１８】
2020016392.tif 000021
【図１９】
2020016392.tif 000022
【図２０】
2020016392.tif 000023
【図２１】
2020016392.tif 000024
【図２２】
2020016392.tif 000025
【図２３】
2020016392.tif 000026
【図２４】
2020016392.tif 000027